(57)【要約】【課題】鋼管鉄塔を構成する鋼管部材２０の端部に対して後付け可能な鳥類侵入防止具１であって、鋼管部材の端部適所に対して接着固定されるベース部２と、該ベース部に一体化されて鋼管部材の端部開口２１内に部分的に突出する突出片１０と、を備えた。【解決手段】鋼管鉄塔を構成する鋼管部材２０の端部に対して後付け可能な鳥類侵入防止具１であって、鋼管部材の端部適所に対して接着固定されるベース部２と、該ベース部に一体化されて鋼管部材の端部開口内に部分的に突出する突出片１０と、を備えた。【選択図】図１
2007138588.tif 000002
【特許請求の範囲】
【請求項１】
鋼管鉄塔を構成する鋼管部材の端部に対して後付け可能な鳥類侵入防止具であって、
前記鋼管部材の端部適所に対して接着固定されるベース部と、該ベース部に一体化されて前記鋼管部材の端部開口内に部分的に突出する突出片と、を備えたことを特徴とする鳥類侵入防止具。
【請求項２】
前記ベース部は、平板状の状態から、前記鋼管部材周面のＲ形状に倣ったＲ状に湾曲変形可能に構成されていることを特徴とする請求項１に記載の鳥類侵入防止具。
【請求項３】
前記ベース部には予め接着剤層が形成されていることを特徴とする請求項１、又は２に記載の鳥類侵入防止具。
【請求項４】
前記突出片は、前記ベース部に対して略平坦面状に連設された状態から、屈曲した状態に折り曲げ自在に構成されていることを特徴とする請求項１、２又は３に記載の鳥類侵入防止具。
【請求項５】
前記突出片は、前記ベース部に対して予め屈曲した状態で一体化されていることを特徴とする請求項１、２又は３に記載の鳥類侵入防止具。
【請求項６】
前記ベース部及び前記突出片は、金属、又は樹脂により構成されていることを特徴とする請求項１乃至５の何れか一項に記載の鳥類侵入防止具。
【請求項７】
前記ベース部は、平行な２枚の板状ベース片を一端縁にて連結した略コ字状体、或いは略Ｕ字状体であることを特徴とする請求項１乃至６の何れか一項に記載の鳥類侵入防止具。
【請求項８】
請求項１乃至６の何れか一項に記載の鳥類侵入防止具のベース部を、前記鋼管部材の端部開口の外周面、又は／及び、内周面に接着固定したことを特徴とする鳥類侵入防止具の取り付け構造。
【請求項９】
前記鋼管部材は、その端部開口の端縁に形成した軸方向切欠き内に軸方向へ延びる継手プレートを嵌合固定した構成を有し、
請求項１乃至６の何れか一項に記載の鳥類侵入防止具のベース部は前記継手プレートに固定されることを特徴とする鳥類侵入防止具の取り付け構造。
【発明の詳細な説明】
【技術分野】
【０００１】
本発明は各種鉄塔を構成する鋼管部材の端部開口を完全に封止することなく、椋鳥等の鳥類が営巣することを防止することができる鳥類侵入防止具、及びその取り付け構造に関する。
【背景技術】
【０００２】
送電用、或いは通信用等の各種用途に供される鉄塔は、鉄塔主柱鋼管部材に対して斜材や水平材等の鋼管部材の端部継手を固定することによって構築される。これらの鋼管部材は端部が開口しているため、端部開口から雨水や塩分等が浸入して鋼管部材内面を腐食させたり、或いは椋鳥等の鳥類が端部開口から侵入して管体内部に営巣することにより、糞や卵の中身の酸性成分が鋼管部材内面を腐食させ易くなる。
これらの不具合を解決するために従来から種々の提案がなされている。例えば、特許文献１〜３には、鋼管部材の端部開口を弾性材料等から成る蓋によって封止する構成が開示されている。蓋の固定方法としてはボルトによる締結、脱落防止金具による固定、シーリング材の充填による固定等が採られている。
これらの従来技術によれば、鋼管部材の端部開口を閉止するため、鳥類の侵入を完全に防止することができ、雨水の浸入もある程度防止することができる。
しかし、鋼管部材内には、その端部開口と蓋との接触面における毛細管現象によって雨水が徐々に浸入する。また、日中の太陽熱による過熱と夜間の冷却の繰り返しによって蓋やシーリング材が経時的に劣化して密封能力が低下し、更に雨水の浸入量が増大する。一旦管体内に侵入した水は管体外へ排出されずに長期に渡って溜まり続けるため、管体内が乾燥しにくい状態となり、腐食（発錆）を促進する。このため、鉄塔自体の強度、寿命に悪影響を与える結果を招来している。
また、鉄塔に登った作業者が足場の悪い高所において身体を支えながら鋼管部材の端部開口に蓋を固定する作業は極めて煩雑であるため、疲労度が高くなると共に、危険性が増大する。特に、ボルトによる締結作業、脱落防止金具の取付け作業、更にはシーリング材の充填作業は、極めて煩雑、且つ時間のかかる作業である。また、蓋は形状が大きいため、安全帯の腰袋には収納できず携帯に不便であり、作業者は多数の蓋を収容することにより重く且つ嵩の大きくなったバッグを保持して鉄塔上で作業を行う必要があるため、更に作業は困難化し疲労度が高まる。
また、鋼管部材の径は通常１０〜１６ｃｍ程度であるため、このような鋼管の端部開口を閉止する蓋の重量は比較的重くなる一方で、蓋と鋼管端部開口との締結力は、蓋自体の劣化や、鋼管との熱膨張差によって弛み易く、弛んだ蓋は風雨や氷結による応力等の外力によって鋼管の端部開口から離脱して落下し易いため危険である。
【特許文献１】特開２００２−１０６０７４公報
【特許文献２】特開２００４−１４３６７３公報
【特許文献３】特開２００５−１１３３７０公報
【発明の開示】
【発明が解決しようとする課題】
【０００３】
本発明は上記従来技術の問題点を解決するためになされたものであり、各種鉄塔を構成する鋼管部材の端部開口を常時開放しておくことにより管体内を乾燥しやすくして腐食を防止する一方で、椋鳥等の鳥類が端部開口から管体内に侵入して営巣することを防止することができる鳥類侵入防止具、及びその取り付け構造を提供することを目的としている。
【課題を解決するための手段】
【０００４】
上記目的を達成するため、請求項１の発明は、鋼管鉄塔を構成する鋼管部材の端部に対して後付け可能な鳥類侵入防止具であって、前記鋼管部材の端部適所に対して接着固定されるベース部と、該ベース部に一体化されて前記鋼管部材の端部開口内に部分的に突出する突出片と、を備えたことを特徴とする。
請求項２の発明は、請求項１において、前記ベース部は、平板状の状態から、前記鋼管部材周面のＲ形状に倣ったＲ状に湾曲変形可能に構成されていることを特徴とする。
請求項３の発明は、請求項１、又は２において、前記ベース部には予め接着剤層が形成されていることを特徴とする。
請求項４の発明は、請求項１、２又は３において、前記突出片は、前記ベース部に対して略平坦面状に連設された状態から、屈曲した状態に折り曲げ自在に構成されていることを特徴とする。
請求項５の発明は、請求項１、２又は３において、前記突出片は、前記ベース部に対して予め屈曲した状態で一体化されていることを特徴とする。
請求項６の発明は、請求項１乃至５において、前記ベース部及び前記突出片は、金属、又は樹脂により構成されていることを特徴とする。
請求項７の発明は、請求項１乃至６において、前記ベース部は、平行な２枚の板状ベース片を一端縁にて連結した略コ字状体、或いは略Ｕ字状体であることを特徴とする。
請求項８の発明は、請求項１乃至６の何れか一項に記載の鳥類侵入防止具のベース部を、前記鋼管部材の端部開口の外周面、又は／及び、内周面に接着固定したことを特徴とする。
請求項９の発明は、前記鋼管部材は、その端部開口の端縁に形成した軸方向切欠き内に軸方向へ延びる継手プレートを嵌合固定した構成を有し、請求項１乃至６の何れか一項に記載の鳥類侵入防止具のベース部は前記継手プレートに固定されることを特徴とする。
【発明の効果】
【０００５】
本発明によれば、鋼管鉄塔を構成する鋼管部材の端部に対して後付け可能な鳥類侵入防止具において、鋼管部材の端部適所に対して接着固定されるベース部と、該ベース部に一体化されて鋼管部材の端部開口内に部分的に突出する突出片と、を備えたので、各種鉄塔を構成する鋼管部材の端部開口を常時開放しておくことにより管体内を乾燥しやすくして腐食を防止する一方で、椋鳥等の鳥類が端部開口から管体内に侵入して営巣することを防止することができる。
【発明を実施するための最良の形態】
【０００６】
以下、本発明を図面に示した実施の形態により詳細に説明する。
図１（ａ）及び（ｂ）は本発明の一実施形態に係る鳥類侵入防止具（以下、防止具、という）の構成説明図であり、図２（ａ）及び（ｂ）は防止具を鋼管部材の端部開口に取り付ける手順（取り付け構造）を示す図である。
この防止具１は、鋼管鉄塔（パイプ鉄塔）を構成する鋼管部材の端部開口に対して後付け可能な構成を備えており、鋼管部材２０の端部開口２１の適所に対して接着固定されるベース部２と、ベース部２に一体化されて鋼管部材の端部開口内に部分的に突出する突出片１０と、を備えている。
防止具１はステンレス等の金属、或いは樹脂等から一体的に構成する。
ベース部２を金属材料によって構成した場合には、図１（ａ）に示した平板状の状態から、（ｂ）に示したように鋼管部材の周面のＲ形状に倣ったＲ状に湾曲変形可能に構成されている。具体的には、ベース部２の面内に所定のピッチにて少なくとも一つ、又は複数のスリット２Ｓを平行に形成することにより全体として湾曲（屈曲）し易いように構成する。なお、スリット２Ｓの一端は、ベースの一端縁を貫通するように構成してもよい。
また、ベース部２の内側面には予め接着剤層（粘着ゴムシート等）３が形成されている。接着剤により鋼管部材に対して固定するので固定作業性が高まる。また、接着剤としては、接着力の強いものを用いることにより、経時的も防止具の落下の懸念が少なくなる。接着剤層３には離型紙を貼着しておくことにより、防止具相互の接着を防止しつつ多数の防止具を重ねた状態で安全帯の腰袋に収納することが可能となる。
【０００７】
突出片１０は、図２（ａ）の取付け状態説明図に示すようにベース部２に対して略平坦面状に連設された状態から、図２（ｂ）に示したように９０度屈曲した状態に折り曲げ自在に構成されている。
具体的には、突出片１０は、ベース部２の一端縁の適所から突出しており、この例ではベース部に対して幅の細い折り曲げ部１１を介して一体化されている。折り曲げ部１１は人手により任意の角度に屈曲させることができる一方で、一旦屈曲させた場合には風雨や鳥類からの外力によっては変形しない程度の強度に設定する。突出片１０の形状、サイズは、図示の形状、サイズに限定される訳ではない。
防止具１は例えば図１（ａ）に示した如き寸法を有し、軽量であるため、作業者が安全帯の腰袋に多数の防止具１を収納して携行するのに適している。
但し、防止具１の形状、寸法は図示のものに限定される訳ではない。従って、例えば鋼管部材の径サイズの違いに応じて異なったサイズの防止具１を用意し、一つの防止具を装着するだけで鳥類の侵入を阻止できる程度に端部開口を部分的に塞ぐことができるように構成してもよい。
但し、図１（ａ）に寸法表示した如き小さいサイズ（１４ｇ）に設定しておけば、一種類の防止具を用いて多様なサイズの鋼管部材に対して適用して鳥類の侵入を防止しつつ、管体内外の通気性を確保することが可能となる。
【０００８】
次に、図２に示した鋼管部材２０は、軸方向両端部に端部開口２１を備え、端部開口２１を構成する鋼管部分に設けた２つの軸方向への切欠き２２内に端部継手となる継手プレート２３が差込み固定（溶着）されている。符号３０は鉄塔の主柱鋼管部材であり、主柱鋼管部材３０の外面から突設された継手板３１に対して継手プレート２３をボルト３５、ナット３６によって締結固定することにより、鋼管部材２０を主柱鋼管部材３０に固定する。継手プレート２３により２つに分割された半円形状の端部開口２１からは雨水が浸入するが、排水も確実に行われるため、通気性が確保でき、管体内に水が長期間溜まり続けることによる金属腐食は防止される。特に、鋼管部材２０は、主柱鋼管部材３０に対して斜めに固定される斜材、或いは水平に固定される水平材であるため、浸入した雨水の排出は端部開口から確実になされる。
一方、この端部開口２１から椋鳥等が侵入して営巣した場合には、酸性成分を含む卵の中身や糞が管体内を腐食させる原因となることが確認されている。そこで、本発明では上記防止具１のベース部２を鋼管部材２０の開口端部外周に接着してから、突出片１０を約９０度内径方向へ屈曲させて開口端部側に部分的に突出させることによって、椋鳥等の鳥類が侵入するスペースをなくしている。
【０００９】
防止具１の取付けに際しては、まずベース部２を人手、或いはペンチ等を用いて取付け対象となる鋼管部材２０の外面形状に合わせたＲ状に湾曲（屈曲）させる。次いで接着剤層３を覆う剥離紙を剥がしてから、ベース部２を鋼管部材２０の外面に接着する。この際、図２（ａ）に示すように折り曲げ部１１から先端部分が鋼管部材端部から外側へ突出するように位置決めする。
次いで、（ｂ）に示すように人手、或いは工具により折り曲げ部１１を９０度折り曲げて突出片１０により端部開口２１の一部を塞ぐようにする。必要に応じて複数の防止具１を端部開口２１の外周面の異なった位置に取り付ける。椋鳥は、例えば５ｃｍ程度の間隔のスペースしかない場合には、管体内に侵入できないため、その程度の狭いスペースが形成されるように防止具を取り付ける。
図１（ａ）に示したサイズの防止具であれば、最大径の鋼管部材（１０〜１６ｃｍ）は勿論、それよりも小径の鋼管部材に対しても適用することが可能となる。
防止具１の突出片１０を予めベース部２に対して９０度屈曲させた状態としておき、現場では鋼管部材の端部に貼り付けるだけとするようにしてもよいが、作業者が装着する安全帯の腰袋に多数の防止具１を収納する場合の利便を考えれば屈曲させない状態で収納するようにした方がよい。
防止具１を樹脂にて構成する場合には、図３に示すように予め突出片１０をベース部２に対して９０度屈曲させた状態で成形することとなる。従って、幅の細い折り曲げ部は不要となる。樹脂製の場合もベース部２にスリット２Ｓを形成して湾曲し易くする。防止具１を金属板にて構成する場合も、予め突出片１０を屈曲させておいてもよい。
【００１０】
次に、図４は変形例であり、この防止具１は突出片１０を突出させたベース部２の同一の端縁であって、突出片１０の両側方に相当する箇所に張出し片１２を突設した構成が特徴的である。この張出し片１２は、防止具１のベース部２を鋼管部材２０の端部外周に接着した際に、鋼管部材の端部開口２１の内面側に向けて折り返すことにより、ベース部２と各張出し片１２との間で鋼管端部を挟み込むように保持する。このように張出し片１２を設けることにより経年的に接着剤層が劣化して接着力が低下した場合においても防止具１が鋼管部材の端部から落下しにくくなるように構成することができる。
なお、上記実施形態に係る取り付け構造では、いずれも防止具１のベース部２を鋼管部材の端部外周面に接着固定する例を示したが、鋼管部材の端部内周面に接着固定した上で、突出片１０を内径側に屈曲させてもよい。或いは、防止具１のベース部２を継手プレート２３の面上に接着してから突出片１０を外径方向へ９０度屈曲させて端部開口２１を一部塞ぐように構成してもよい。
【００１１】
次に、図５（ａ）及び（ｂ）は本発明の他の実施形態に係る防止具の構成を示す斜視図、及び正面図であり、この防止具１は金属、或いはプラスチックから成るベース部２と突出片１０、及び折り曲げ部１１を有している点では図１の実施形態と同様であるが、ベース部２が２枚の板状ベース片２Ａ、２Ｂをコ字状（或いは、Ｕ字状）に一体化した構成を有している点が異なっている。各板状ベース片２Ａ、２Ｂは、互いにバネ性を有した状態で連結されている。
各板状ベース片２Ａ、２Ｂの間隔は、鋼管部材２０の端部を挟み込んだ状態で弾性的に固定されるように構成し、何れか一方の板状ベース片の内面には接着剤層３を形成し、取付け前においては接着剤層３を離型紙４により被覆しておく。
この防止具１を鋼管部材の端部に取り付ける場合には、離型紙４を剥離して接着剤層３を露出させてから、両板状ベース片間に鋼管部材の端部を差し込んでから接着固定する。
このように鋼管部剤端部を２枚の板状ベース片２Ａ、２Ｂによって弾性的に挟み込むと共に接着剤により接着することにより、固定力が高まり、接着剤の接着力が経時的に低下したとしても板状ベース片による圧着力によって落下を防止することができる。
【図面の簡単な説明】
【００１２】
【図１】（ａ）及び（ｂ）は本発明の一実施形態に係る鳥類侵入防止具の構成説明図。
【図２】（ａ）及び（ｂ）は防止具を鋼管部材の端部開口に取り付ける手順（取り付け構造）を示す図。
【図３】鳥類侵入防止具を樹脂にて構成した場合の構成例を示す図。
【図４】本発明の鳥類侵入防止具の変形例の構成説明図。
【図５】（ａ）及び（ｂ）は本発明の他の実施形態に係る防止具の構成を示す斜視図、及び正面図。
【符号の説明】
【００１３】
１…防止具、２…ベース部、２Ａ、２Ｂ…板状ベース片、２Ｓ…スリット、３…接着剤層、４…離型紙、１０…突出片、１１…折り曲げ部、１２…張出し片、２０…鋼管部材、２１…端部開口、２３…継手プレート、３０…主柱鋼管部材、３１…継手板、３５…ボルト、３６…ナット。
【図１】
2007138588.tif 000003
【図２】
2007138588.tif 000004
【図３】
2007138588.tif 000005
【図４】
2007138588.tif 000006
【図５】
2007138588.tif 000007